(57)【要約】【課題】本発明の目的は、一般に側面及びヘッドレストを有し、ストラップによって子供が固定されるチャイルドシート組立品を提供することにある。【解決手段】このチャイルドシート組立品は、小さいシートを大きいシートの上に取り付けた異なる寸法の二つのシートを備え、大きいシートは子供を固定する複数のストラップを有し、これらのストラップは、小さいシートが大きいシートに取り付けられた場合に、小さいシートにおいて使用され、そして子供が成長した場合には、小さいシートを取り外し、大きいシートに子供を座らせる。このチャイルドシート組立品は、子供の成長の異なる段階において実用的な態様で使用することができ、またこれを行うための機構を組み入れる必要が無い。【選択図】図２
2015168426.tif 000002
【特許請求の範囲】
【請求項１】
子供を固定するためのストラップを有する第１シートと、
該第１シートよりも寸法が小さく、前記第１シートの上に取り外し可能に取り付けられる第２シートと
を備え、
前記第２シートを前記第１シートに取り付けた場合に、前記第２シートにて前記ストラップを使用することができるようにしてあること
を特徴とするチャイルドシート組立品。
【請求項２】
前記ストラップを複数備え、
前記第２シートは、座部と、該座部に連なる背面と、該背面の上側に位置するヘッドレストとを有し、
前記背面及びヘッドレストの間に一の前記ストラップが挿通される第１開口が形成されており、
前記座部の縁部分に他の前記ストラップが挿通される第２開口が形成されていること
を特徴とする請求項１に記載のチャイルドシート組立品。
【請求項３】
前記第１シート及び第２シートは、モールド成型され、衝突時における圧力及び衝撃を吸収するスポンジ状の且つ堅さのある単一部材によって全体が構成されていること
を特徴とする請求項１に記載のチャイルドシート組立品。
【請求項４】
前記単一部材は表面仕上げされている及び／又は内装材を有すること
を特徴とする請求項３に記載のチャイルドシート組立品。
【発明の詳細な説明】
【技術分野】
【０００１】
本発明は、一般に側面及びヘッドレストを有し、ストラップを用いて子供を固定するチャイルドシート組立品に関する。
【背景技術】
【０００２】
前記特徴の市場には、小さい子供向けのもの及び大きい子供向けのものを含め、多くのチャイルドシートのモデルがある（例えば特許文献１）。
【０００３】
また側面が分離可能な機構、ヘッドレストが上昇可能な機構を特徴的に有するチャイルドシートもあり、子供の成長に応じて横に拡げることすらできるチャイルドシートもある。
【先行技術文献】
【特許文献】
【０００４】
【特許文献１】特開２００４−２６１５６号公報
【発明の概要】
【発明が解決しようとする課題】
【０００５】
この後者のチャイルドシートは、子供の成長の異なる段階において使用することができるという利点を有するものの、これらの機構の存在によって高価格になるという欠点があり、チャイルドシートの製造を複雑にもしているし、またそれらは完全に機能するわけではなく、また前記機構の調整に不慣れな人が使用するには、実用的でもない。
【課題を解決するための手段】
【０００６】
本発明の目的は、前記機構無しに、実用的な態様によって異なる大きさの子供が使用することができるチャイルドシート組立品を提供することにある。チャイルドシート組立品は、小さいシートを大きいシートの上に取り付けた異なる寸法の二つのシートを特徴的に備え、大きいシートは子供を固定する複数のストラップを有し、これらのストラップは、小さいシートが大きいシートに取り付けられた場合に、小さいシートにおいて使用され、そして子供が成長した場合には、小さいシートを取り外し、子供を大きいシートに座らせる。
【０００７】
このシートのもう一つの特徴は、低価格で製造することができることであり、更には、例えば衝突時に発生した圧力又は衝撃を吸収することであり、両シートは単一のモールド成型された要素で全体が構成され、エネルギーを吸収する適度な硬さを有するスポンジのような素材によって構成されている。
【発明の効果】
【０００８】
本発明に係るチャイルドシート組立品は、子供の成長の異なる段階において実用的な態様で使用することができ、またこれを行うための前記機構を組み入れる必要が無い。
【０００９】
これら及び他の特徴は後述する詳細な記述によって最も明瞭にされ、本発明の範囲を制限しない例示としてのみ引用された実施の形態を示す添付の三つの図面によって、その理解はより容易になる。
【図面の簡単な説明】
【００１０】
【図１】小さい子供が小さいシートに座って使用している場合における本発明に係るチャイルドシート組立品を示す斜視図である。
【図２】チャイルドシート組立品における両シートの分離を示す斜視図である。
【図３】小さいシートを取り外して、大きい子供が大きいシートに座って使用している場合におけるチャイルドシート組立品を示す斜視図である。
【発明を実施するための形態】
【００１１】
添付図面に示すように、チャイルドシート組立品は、一方のシート（小さいシート）１と、該一方のシート１よりも寸法が大きい他方のシート（大きいシート）２とを備える。
小さいシート１（第２シート）は、座部１３と、該座部１３の後端部から上方に立ち上がった背面１２と、該背面１２及び座部１３の左右それぞれに連なる側面１４と、前記背面１２の上部に連なるヘッドレスト９とを備える。
ヘッドレスト９及び背面１２の連結部分の左右それぞれに、開口７及び８（第１開口）が形成されている。開口７及び８は前後に貫通している。正面視においてコの字形をなすように、開口７の左部分は開放されている。正面視において逆コの字形をなすように、開口８の右部分は開放されている。座部１３の前縁部の左右中央部分には、上下に貫通した開口１０（第２開口）が形成されている。平面視において倒立Ｕ字形をなすように、開口１０の前部分は開放されている。
大きいシート２（第１シート）は、座部１５と、該座部１５の後部から上方に立ち上がった背面１６と、該背面１６及び座部１５の左右それぞれに連なる側面１７と、前記背面１６の上部に連なるヘッドレスト１１とを備える。
【００１２】
このシートを最初に使用する場合、すなわち、子供Ｎがとても小さい場合、図１に示すように、子供Ｎは、大きいシート２の上に取り付けられた小さいシート１に座っている。
【００１３】
大きいシート２は、この種のシートに使用される従来のストラップを有し、本実施例においては三つの固定点を有する。二つはストラップ３及び４のためのものであり、一つはクロッチストラップ５のためのものである。ストラップ３及び４はバックル又は留め金によってクロッチストラップ５に取り付けられる。ストラップ３及び４は背面１６の上端部の左右それぞれに設けられている。クロッチストラップ５は座部１５の前縁部の左右中央部分に設けられている。
【００１４】
これらのストラップ３、４及び５は、小さいシート１に子供を固定するためにも使用され、ストラップ３及び４は、小さいシート１の背面１２及びヘッドレスト９の両側における開口７及び８に挿通され（図２参照）、クロッチストラップ５は小さいシート１の縁における開口１０に挿通される。
【００１５】
その後、子供Ｎが成長した場合（子供Ｎ′）、図２に示すように、一旦小さいシート１を取り外してから、子供Ｎ′を大きいシート２に座らせることができる（図３参照）。この大きいシート２には、子供の成長に応じて高さ調整可能なヘッドレスト１１が独立して設けられる。
【００１６】
両シート１及び２は、所望の形状を有するモールド成型された単一部材によって構成され、そしてスポンジ状の且つ所定の堅さのある素材（例えば、発泡ポリプロピレン又は発泡ポリスチレン）によって全体が構成されている。前記単一部材は弾性を有し、衝突時における圧力及び衝撃を吸収することができる。
【００１７】
これらのモールド成型された単一の構成要素は表面仕上げされ、内装材によって仕上げられ得る。
【００１８】
このチャイルドシート組立品は、自動車で移動する場合における子供の安全シートとして設計されることが好ましいが、ベビーカーへの使用にも適合され得る。
【００１９】
本発明は、その本質の範囲内において、例示によってのみ上述された具体例とは細部のみが異なる他の具体例において実施することができ、該他の具体例もまた請求された保護範囲内にある。したがって、このチャイルドシート組立品は、最も適当な手段及び材料を用いて、そして最も便利な付属品を用いて、任意の形状及び寸法にて製造され得る。また特許請求の範囲に含まれる限りにおいて、前記構成は技術的に均等な他のものによって置換され得る。
【００２０】
本発明に係るチャイルドシート組立品は、側面１４、１７及びヘッドレスト９、１１を備えるチャイルドシート組立品において、子供を固定するためのストラップ３〜５を有する大きいシート２の上に小さいシート１が最初に取り付けられる異なる寸法の二つのシートを有し、前記小さいシート１が前記大きいシート２に取り付けられた場合に、前記ストラップ３〜５は前記小さいシート１にて使用され、子供が成長した場合に、前記小さいシート１を取り外して、子供を前記大きいシート２に座らせることができることを特徴とする。
【００２１】
本発明に係るチャイルドシート組立品は、前記小さいシート１は、前記大きいシート２に取り付けた前記ストラップ３〜５の通過のために、その背面１２及びヘッドレスト９の間、並びにその縁部に設けられた開口７、８、１０を横向きに複数有することを特徴とする。
【００２２】
本発明に係るチャイルドシート組立品は、前記小さいシート１及び大きいシート２は、所望の形状を有するモールド成型された単一素材によって構成されており、衝突時における圧力及び衝撃を吸収するスポンジ状の且つ堅さのある材料によって全体が構成されていることを特徴とする。
【００２３】
本発明に係るチャイルドシート組立品は、前記モールド成型された単一構成要素は表面仕上げ及び／又は内装材を有することを特徴とする。
【符号の説明】
【００２４】
１  小さいシート（第２シート）
２  大きいシート（第１シート）
３、４  ストラップ
５  クロッチストラップ（ストラップ）
７、８  開口（第１開口）
９  ヘッドレスト
１０  開口（第２開口）
１２  背面
１３  座部
【図１】
2015168426.tif 000003
【図２】
2015168426.tif 000004
【図３】
2015168426.tif 000005